(57)【要約】【課題】リール脚の端部を押さえ付ける部材の先端部分をカバー部材などで覆うことなく配置して、リール脚側から引き起こすような力が加わっても引き起こされないようにし、リール脚にズレを生じさせることなくリールを適正に支持できるようにする。【解決手段】リールシートを、釣竿装着管２が嵌挿される取付管６にリール脚の一端を係止させる固定係止部７とリール脚の裏面を相対させるシート部８とハンドル長さ方向に貫通空間を形成するアーチ部１０とを一体に配したリールシート本体４と、リールシート本体４のアーチ部１０側からハンドル長さ方向に突出した取付管６の延長部１１に支持される締緩装置５とから構成し、締緩装置５の移動筒体１８を定位置で回転可能な回転筒体１９の回転操作でハンドル長手方向に移動させ、移動筒体１８に一体とした保持部材１４が移動してリール脚の端部を押し付けるようにした。【選択図】　　図１
2004016198.tif 000002
【特許請求の範囲】
【請求項１】
リールのリール脚を取り付けるリールシートを有するとともに、内部に先端部から竿尻部側にかけて釣竿装着管が通っている釣竿のハンドルであって、
前記リールシートは、前記釣竿装着管が嵌挿される取付管にリール脚の一端を係止させる固定係止部とリール脚の裏面を相対させるシート部とハンドル長さ方向に貫通空間を形成するアーチ部とを一体に配したリールシート本体と、前記リールシート本体のアーチ部側からハンドル長さ方向に突出した前記取付管の延長部に支持される締緩装置とからなり、
前記締緩装置は、リール脚の他端が差し入れ可能な保持穴を有し、アーチ部下からハンドル長さ方向に沿ってシート部側に進退可能にして支持された保持部材と、前記保持部材に一体に連結され、前記取付管の延長部にハンドル長さ方向に沿って移動可能に支持された移動筒体と、前記移動筒体の外周に螺合し、ハンドル長さ方向の定位置で回転自在に支持された回転筒体とからなり、
前記締緩装置における回転筒体の回転操作で前記保持部材がアーチ部下からシート部側に向けて進退可能に設けられ、前記固定係止部に一端を係止させたリール脚の他端を前記保持部材の保持穴に差し入れて、前記回転筒体の回転によりシート部側に移動させた保持部材で、リール脚をリールシート本体に押し付ける構成としたことを特徴とする釣竿のハンドル。
【請求項２】
上記リールシート本体は、上記保持部材をハンドル長さ方向に沿って進退可能に支持するガイド溝を有する請求項１に記載の釣竿のハンドル。
【発明の詳細な説明】
【０００１】
【発明の属する技術分野】
本発明は釣竿のハンドルに関するものである。
【０００２】
【発明が解決しようとする課題】
従来から、釣竿のハンドルは、釣竿を装着する釣竿装着管となる部分が先端部から竿尻部側にかけて通るように形成されていて、そして、リールを取り付けるリールシートを備えたものが多く提供されており、好みなどに応じて選択されたリールをセットすることができるように、リールシートの固定部分にリール脚の一端を係止させるとともに、リール脚側に進めてリール脚の他端をハンドル長さ方向に押してリール脚をリールシートに押し付ける可動片を有するものであった。
さらに、前記リール脚の端部を押し付ける可動片をハンドル長さ方向に移動させる方法として、例えば、実開平４−１２８６１号などに示されているように、可動片を断面略弧状として背部分にネジ溝を設けるとともに、そのネジ溝に合うネジ部を内側に有した筒体を定位置でハンドルの中心軸周りに回転させるようにし、筒体の回転操作で前記可動片をハンドル長さ方向に案内して、リール脚の端部をハンドル長さ方向に押し込むタイプのリールシートも多く提案されている。
【０００３】
しかしながら、従来のリールシートでは、可動片が釣竿装着管の外面に形成された面をスライドするだけであるとともに、リール脚に可動片の先端が多少乗り上げる状態で押す構成であるため、魚を釣り上げるときなどのようにリール脚の可動片側の端部を持ち上げるような外力が加わると、その可動片が若干引き起こされてしまい、リール脚の端部が釣竿装着管外周周りにずれるなどしてリールがガタ付き易くなるという問題がある。
この可動片の引き起こしを抑える上では、上記実開平４−１２８６１号に示されているように、可動片の先端の移動域を覆うようにカバー部材を設けて可動片をそのカバー部材内でのみ移動させ、リール脚側からの力が加わっても可動片の引き起こしを防止することが対策として考えられるが、リール脚の長さに対してリールシートの上面開放部分が狭くなってリール脚の端部を差し入れる深さが長くなってしまい、よってリール脚の着脱作業が簡単に行なえなくなる。またカバー部材で隠れた可動片の位置を目視確認することができない。さらに、ライトフィッシングなどのように、リールを下にしてリール脚の部分に指を掛けてハンドルを保持する使用形態のときにはカバー部材が邪魔になって、ハンドルを自然に握ることができないという問題がある。このようなことから、カバー部材を設けることなく可動片の先端がその移動域において表出する状態となっているのが現状であった。
そこで本発明は上記事情に鑑み、リール脚の端部を押さえ付ける部材の先端部分をカバー部材などで覆うことなく配置して、リール脚側から引き起こすような力が加わっても引き起こされないようにすることを課題とし、リール脚にズレを生じさせることなくリールを適正に支持できるハンドルを得ることを目的とするものである。
【０００４】
【課題を解決するための手段】
本発明は上記課題を考慮してなされたもので、リールのリール脚を取り付けるリールシートを有するとともに、内部に先端部から竿尻部側にかけて釣竿装着管が通っている釣竿のハンドルであって、前記リールシートは、前記釣竿装着管が嵌挿される取付管にリール脚の一端を係止させる固定係止部とリール脚の裏面を相対させるシート部とハンドル長さ方向に貫通空間を形成するアーチ部とを一体に配したリールシート本体と、前記リールシート本体のアーチ部側からハンドル長さ方向に突出した前記取付管の延長部に支持される締緩装置とからなり、前記締緩装置は、リール脚の他端が差し入れ可能な保持穴を有し、アーチ部下からハンドル長さ方向に沿ってシート部側に進退可能にして支持された保持部材と、前記保持部材に一体に連結され、前記取付管の延長部にハンドル長さ方向に沿って移動可能に支持された移動筒体と、前記移動筒体の外周に螺合し、ハンドル長さ方向の定位置で回転自在に支持された回転筒体とからなり、前記締緩装置における回転筒体の回転操作で前記保持部材がアーチ部下からシート部側に向けて進退可能に設けられ、前記固定係止部に一端を係止させたリール脚の他端を前記保持部材の保持穴に差し入れて、前記回転筒体の回転によりシート部側に移動させた保持部材で、リール脚をリールシート本体に押し付ける構成としたことを特徴とする釣竿のハンドルを提供して、上記課題を解消するものである。
そして、本発明において、上記リールシート本体は、上記保持部材をハンドル長さ方向に沿って進退可能に支持するガイド溝を有するものとすることが可能である。
【０００５】
【発明の実施の形態】
つぎに本発明を図１から図７に示す実施の形態に基づいて詳細に説明する。
図中１は釣竿のハンドルで、該ハンドル１は釣竿を差し入れて固定するための釣竿装着管２が先端部２ａから竿尻部２ｂ側にかけて内部に通して配置され、そして、ハンドル１の先端部に寄ったところにリールのリール脚を取り付けるためのリールシート３が配置されており、全体として手で握るに適した径で長手方向に略円柱形状を呈するように設けられているものである。
ハンドル１の先端部から上記リールシート３の下部に回り込む前ハンドル部の部分まで、釣竿装着管２が通るとともにリールシート３を配置できる形状としたコルク材などが用いられ、そしてリールシート３から竿尻部までも釣竿装着管２が通る形状としたコルク材などが用いられており、ハンドル１の全体として釣竿装着管２が芯材の役割を果たしている。
【０００６】
上記リールシート３は、図２に示されているようにリールシート本体４の後部側に締緩装置５を組み付けたものである。前記リールシート本体４は、図３に示されているように釣竿装着管２が嵌挿される取付管６の外側面にその取付管６の長さ方向に沿って、すなわちハンドル１の長さ方向に沿って、リール脚の一端を係止させることができる固定係止部７と、この固定係止部７に連続していてリール脚の裏面を受けるシート部８と、シート部８を間にして前記固定係止部７とは反対側に位置してハンドル長さ方向に貫通空間９を形成するアーチ部１０とが並べられ、これらが前記取付管６に一体に形成されている。
また、リールシート本体４ではアーチ部１０側の端部から竿尻部２ｂ側に向けて上記取付管６を延長してなる延長部１１が突出しており、この延長部１１に上記締緩装置５が支持されている。
【０００７】
上記リールシート本体４において固定係止部７は、図示されているようにリール脚ａの一端ｂを係止させる部分であるが、リール脚ａの一端ｂを係止させることができればよく、リール脚ａを深くは差し入れない奥行寸法としている。そして、固定係止部７に一端ｂを係止させた状態では、そのリール脚ａの他端ｃのハンドル長さ方向での位置よりアーチ部１０の前縁の位置が若干後方となるようにしている。即ち、固定係止部７にリール脚ａの一端ｂを係止させた状態でリール脚ａをシート部８に相対させるときには、リール端ａの他端ｃと上記アーチ部１０とがぶつかり合わないように設定されている。
また、リールシート本体４ではシート部８のハンドル長さ方向に直交する方向での両側に、固定係止部７とアーチ部１０とに連続する堤部１２が一体に形成されており、この堤部１２の間がリール脚ａの幅に対応している（図４（イ）参照）。これによりシート部８上に位置するリール脚ａのハンドル長さ方向に直交する方向でのズレを防止している。
【０００８】
アーチ部１０の前方位置に上記シート部８の後端が設定されていて、そのシート部８の後端からハンドル中心軸側に段落としされ、上記延長部１１に亘るまで取付管６の表面とその両側の平面とが貫通空間９の下面となるようにリールシート本体４の後端まで連続していて、この取付管６の表面とその両側の平面とが、後述する締緩装置５における保持部材１４が位置するスライド面１３として設けられている。
さらにこのアーチ部１０の基端それぞれにはシート部８の後端まで達するガイド溝１５が設けられている。
【０００９】
締緩装置５は、図５と図６とに示すように上記保持部材１４と、取付管６の延長部１１が移動可能に嵌挿する透孔１６を中央に備え、外周に外ネジ部１７を備える環状の移動筒体１８と、この移動筒体１８の外ネジ部１７に螺合し（図２参照）、ハンドル長さ方向の定位置で回転自在に支持された回転筒体１９とからなるものである。
保持部材１４は、図６（イ）に示すように弧状に湾曲した屋根１４ａの両端に上記スライド面１３の形状に合致した底板１４ｂが連続してリール脚ａの他端ｃが差し入れ可能な保持穴２０を形成している。さらに上記アーチ部１０の両脇におけるガイド溝１５に入ってスライド可能な鍔１４ｃを前記底板１４ｂの側端に一体に備えていて、この保持部材１４がガイド溝１５とスライド面１３によってハンドル長さ方向に移動可能に支持され、保持穴２０がアーチ部１０下の貫通空間９を通ってシート部８の後端まで移動できるように設けられている（図４（ロ）参照）。
また、図６（ロ）に示されているようにこの保持部材１４の後端が移動筒体１８に達していて、保持部材１４と移動筒体１８とが一体となっている。これによって、前記移動筒体１８が取付管６の延長部１１に支持されながらハンドル長さ方向に移動すれば、前記保持部材１４における保持穴２０がアーチ部１０の下からシート部８側に向けて出入りするように移動することになり、一方、前記保持部材１４はその両側の鍔１４ｃがアーチ部１０の両脇のガイド溝１５に位置しているため、移動筒体１８が延長部１１上で回転することがない。
【００１０】
上記回転筒体１９の前部はリールシート本体４の後部に相対していて、アーチ部１０の後縁から取付管６の周りを回るようにして形成された環部２１に摺接可能としている。さらに回転筒体１９の後部は、後ハンドル部の先端として形成されている受け板２２の外周部２３に摺接可能としている。このように回転筒体１９はリールシート本体４の後部における環部２１と後ハンドル部先端の受け板２２における外周部２３に支持され、ハンドル１の長手方向での定位置で回転自由である。そして、前記回転筒体１９はその内周面側に上記移動筒体１８の外ネジ部１７に螺合する内ネジ部２４を備えており、回転しない移動筒体１８の外周回りでこの回転筒体１９が回転することで、移動筒体１８がハンドル長手方向に移動するように設けられている。
即ち、回転筒体１９を回転操作することにより上記保持部材１４がガイド溝１５に案内されながらアーチ部１０下の貫通空間９を通ってシート部８側に送り出され、そのシート部８からスライド面１３上に位置するリール脚ａの後端ｃが上記保持穴２０に嵌まり込むようになる。さらに回転筒体１９を回転操作すれば、進み出る保持部材１４の屋根１４ａにてリール脚ａの他端ｂが固定係止部７側に押され、屋根１４ａの傾斜した内面にてリール脚ａ全体がシート部８に押さえ付けられるようになり、これによってリールがハンドル１に対して固定される（図２（ロ）参照）。
また、リール脚ａの取り外しに際しては、上記回転筒体１９を逆方向に回転すればよく、保持部材１４が後退して保持穴１５からリール脚ａの後端ｃが抜け出るようにすることで、リール脚ａをこのシート部８から外せるようになる（図２（イ）参照）。
【００１１】
上述したように保持部材１４はアーチ部１０下からシート部８側に進み出るように設けられているため、保持部材１４自体の移動を見ることができ、リール脚ａをリールシート本体４に取付けるに際して、異物などが嵌まり込んで不自然にリール脚ａが固定されるなどの不具合の発生を、目視にて簡単に確認できるようになる。
また、取付管６の延長部１１に装着された移動筒体１８にこの保持部材１４が一体となっているため、セットしたリール脚ａの後端ｃ側を持ち上げようとする外力が加わったとしても、その外力を移動筒体１８や延長部１１によって、さらにガイド溝１５でも受けるようになって保持部材１４の引き起こしが確実に防止されるものである。そして、保持部材１４は、リール脚ａの他端ｃを差し入れる箇所を、穴形状の上記保持穴２０としているために強度が高められ、高い押し付け力にてリール脚ａを確実に固定できるようにしている。
【００１２】
上記受け板２２は、図７に示すように後ハンドル部の先端側に嵌め入れられて固定した連結管２５の先端に環状にして一体に設けられている。連結管２５は図示されているようにリールシート本体４の取付管６と同一内径とし、この取付管６の延長部１１と連続した状態の連結管２５に釣竿装着管２が嵌め入れられ、適宜の手段により固定されている。
上記受け板２２の内周に亘って取付管６の延長部１１の後端が位置する段部２６が設けられ、径方向に突出する一対の係止爪２７を備えている。また、取付管６の延長部１１の後端外周には、延長部１１の後端から延長部長手方向に沿う縦溝部分とこの縦溝部分に連続して延長部周方向に伸びる横溝部分とからなる係止溝２８があり、前記受け板２２側の一対の係止爪２７に対応するように一対に設けられている。そして前記係止爪２７を係止溝２８の縦溝部分に進み入れてから後ハンドル部全体をリールシート本体４に対して一方向、即ち、係止爪２７が縦溝部分から横溝部分に進む方向に回転させることで、係止爪２７と係止溝２８とが係止し、後ハンドル部とリールシート本体４とが連結するように設けられている。これによって、上記回転筒体１９が摺接する上記リールシート本体後部の環部２１と受け板２２の外周部２３の間隔が定められ、締緩装置５における回転筒体１９が定位置において回転できるようにしている。
なお、環部２１と受け板２２の外周部２３の間隔を定める構成や、回転筒体１９を定位置にて回転させるための構成は、上記例に限定されるものではない。
【００１３】
【発明の効果】
以上説明したように本発明の釣竿のハンドルによれば、リールのリール脚を取り付けるリールシートを有するとともに、内部に先端部から竿尻部側にかけて釣竿装着管が通っている釣竿のハンドルであって、前記リールシートは、前記釣竿装着管が嵌挿される取付管にリール脚の一端を係止させる固定係止部とリール脚の裏面を相対させるシート部とハンドル長さ方向に貫通空間を形成するアーチ部とを一体に配したリールシート本体と、前記リールシート本体のアーチ部側からハンドル長さ方向に突出した前記取付管の延長部に支持される締緩装置とからなり、前記締緩装置は、リール脚の他端が差し入れ可能な保持穴を有し、アーチ部下からハンドル長さ方向に沿ってシート部側に進退可能にして支持された保持部材と、前記保持部材に一体に連結され、前記取付管の延長部にハンドル長さ方向に沿って移動可能に支持された移動筒体と、前記移動筒体の外周に螺合し、ハンドル長さ方向の定位置で回転自在に支持された回転筒体とからなり、前記締緩装置における回転筒体の回転操作で前記保持部材がアーチ部下からシート部側に向けて進退可能に設けられ、前記固定係止部に一端を係止させたリール脚の他端を前記保持部材の保持穴に差し入れて、前記回転筒体の回転によりシート部側に移動させた保持部材で、リール脚をリールシート本体に押し付ける構成としたことを特徴とするものである。
これによって、保持部材は、リール脚の端部を押す際にアーチ部下からシート部側に進み出て、操作者が保持部材の移動を直接見ることができるようになり、異物などが嵌まり込んで不自然にリール脚が固定されるなどの不具合の発生を、目視にて簡単に確認でき、さらに、取付管の延長部に装着された移動筒体にこの保持部材が一体となっているため、魚を釣り上げる場合のようにリール脚を持ち上げようとする外力が加わったとしても、その外力を移動筒体や延長部とともに受けるようになって保持部材の引き起こしを確実に防止し、リールのガタ付きやリール脚のずれを生じさせないようにすることができる。そして、リール脚を押し付ける保持部材は板片状ではなくリール脚の端部が入る保持穴を有しているために強度が高められて変形することがなく、高い押し付け力にてリール脚を確実に固定できるようになる。さらに、保持部材でリール脚をシート部に押し付ける際にその保持部材がアーチ部下から進み出るようにしているため、アーチ部上面と保持部材上面とリール脚下部上面とのそれぞれの間での段付き状態の程度を小さくすることが可能で、アーチ部上面からリール脚底部上面までを連続して丸みを持った形状となるように設計して、リールを下にしてリール脚に指を掛けてハンドルを持つときの感触に違和感を生じさせないようにすることができるなど、実用性に優れた効果を奏するものである。
【図面の簡単な説明】
【図１】本発明に係る釣竿のハンドルの一例を示す説明図である。
【図２】一例におけるリールシートの部分を断面で示すもので、（イ）は保持部材がアーチ部下に後退している状態を示す説明図、（ロ）は保持部材がアーチ部から進み出てリール脚を押す状態を示す説明図である。
【図３】リールシート本体を示す説明図である。
【図４】同じくリールシート本体を示すもので、（イ）はシート部を通る断面を示す説明図、（ロ）はリールシート本体を後部側から見た状態を示す説明図である。
【図５】締緩装置を示す説明図である。
【図６】締緩装置の保持部材と移動筒体とを示すもので、（イ）は保持穴側から見た状態を示す説明図、（ロ）は側方から見た状態を示す説明図である。
【図７】後ハンドル部を示す説明図である。
【符号の説明】
１…ハンドル
２…釣竿装着管
３…リールシート
４…リールシート本体
５…締緩装置
６…取付管
７…固定係止部
８…シート部
１０…アーチ部
１１…延長部
１４…保持部材
１５…ガイド溝
１８…移動筒体
１９…回転筒体
２０…保持穴
２２…受け板
２５…連結管
ａ…リール脚
【図１】
2004016198.tif 000003
【図２】
2004016198.tif 000004
【図３】
2004016198.tif 000005
【図４】
2004016198.tif 000006
【図５】
2004016198.tif 000007
【図６】
2004016198.tif 000008
【図７】
2004016198.tif 000009